(57)【特許請求の範囲】
【請求項１】
ハウジング内にモータとトルク調整機構を内蔵し、前記ハウジングの前方部に設けられた円筒状のトルク調整ダイヤルを回転させることによって、先端工具に伝達されるトルクを調整可能な電動工具において、
前記トルク調整ダイヤルを透明部材で構成し、前記トルク調整ダイヤルの外周面にトルク設定値を示す数字を表示した表示部を設け、該表示部以外の部分を透明部とすると共に、
該トルク調整ダイヤルの後方部に光源を配置して、該光源からの光を前記透明部材を通して前方側に照射し、前記トルク調整ダイヤル全体を発光させることを特徴とする電動工具。
【請求項２】
前記光源としてＬＥＤライトを使用することを特徴とする請求項１記載の電動工
具。
【発明の詳細な説明】
【技術分野】
【０００１】
本発明は、トルク調整ダイヤルを回動させることによってトルク調整を行うことができるドライバドリル等の電動工具に関するものである。
【背景技術】
【０００２】
例えば、ドライバドリルは、ハウジングに内蔵されたモータの回転トルクをトルク調整機構を介して先端工具に伝達し、該先端工具を所定の速度で回転駆動してネジ締め等の作業を行うものであって、その構成を図３に示す。
【０００３】
即ち、図３は従来のドライバドリル要部の側断面図であり、図示のドライバドリル１’は、ハウジング２の胴体部２Ａ内に駆動源としてのモータ３を収容しており、該モータ３の出力軸（モータ軸）３ａの回転は遊星ギヤ減速機構４によって減速されてスピンドル５に伝達され、該スピンドル５の先端部にチャック６によって装着されたドライバビット７が所定の速度で回転駆動されてネジ締め等の作業が行われる。この場合、ドライバビット７に伝達されるトルクはトルク調整機構８によって調整される。
【０００４】
ところで、前記遊星ギヤ減速機構４は、２段又は３段減速が選択可能であって、最終段のインターナルギヤ（リングギヤ）９は選択的に回転可能であって、これが固定されるとモータ３の回転がスピンドル５に伝達され、該インターナルギヤ９の固定が解除されて回転するとスピンドル５への回転伝達が遮断され、スピンドル５への伝達トルク（最大値）はトルク調整機構８によって調整される。
【０００５】
ここで、トルク調整機構８によるトルク調整は、ハウジング２の胴体部２Ａの先端に回転可能に設けられた円筒状のトルク調整ダイヤル１０を回すことによってなされる。
【０００６】
即ち、スピンドル５の外周には円筒状のネジ部材１１が固設されており、このネジ部材１１の外周にはバネ受け１２が前後方向（図３の右方を前方とする）に移動可能に螺合している。そして、このバネ受け１２の外周は前記トルク調整ダイヤル１０の内周にスプライン嵌合しており、バネ受け１２は、トルク調整ダイヤル１０と共に回転してネジ部材１１に沿って前後方向に移動する。
【０００７】
他方、遊星ギヤ減速機構４の前記インターナルギヤ９の前端面には複数のボール１３が凹凸係合しており、ボール１３にはバネ受け１４が当接しており、このバネ受け１４と前記バネ受け１２間にはコイルバネ１５が縮装されている。従って、ボール１３はコイルバネ１５によってインターナルギヤ９の前端面に押圧されており、その押圧力（つまり、最大伝達トルク）は、トルク調整ダイヤル１０を回してバネ受け１２を前後動させてコイルバネ１５の長さ（バネ力）を変えることによって調整される。
【０００８】
即ち、ドライバビット７側からの負荷が大きくなって伝達トルクが所定値を超えると、コイルバネ１５によってボール１３に与えられる押圧力によってはインターナルギヤ９を固定することができず、インターナルギヤ９がコイルバネ１５の付勢力に抗して乗り越えて回転するため、回転がスピンドル５に伝達されず、ドライバビット７に伝達される最大伝達トルクがそのときのコイルバネ１５のバネ力によって決定される値に設定される。そして、この状態からトルク調整ダイヤル１０を回してバネ受け１２を後退させ、コイルバネ１５を押し縮めて該コイルバネ１５のバネ力を大きくすれば、ボール１３のインターナルギヤ９への押圧力も大きくなってスピンドル５への最大伝達トルクが高められる。又、トルク調整ダイヤル１０を逆に回してバネ受け１２を前進させ、コイルバネ１５を伸ばして該コイルバネ１５のバネ力を小さくすれば、ボール１３のインターナルギヤ９への押圧力も小さくなってスピンドル５への最大伝達トルクが下げられる。
【０００９】
以上のようにトルク調整ダイヤル１０を回すことによって伝達トルクが調整されるが、図４の展開図に示すように、トルク調整ダイヤル１０の外周面にはトルクの大きさを表示する「１」，「５」，「９」…の数字が表示されており、作業者はこの数字を見ながらトルク調整ダイヤル１０を回してトルク調整を容易に行うことができる。
【００１０】
他方、図３に示すように、ハウジング２の胴体部２Ａからはハンドル部２Ｂが略直角に延びており、このハンドル部２Ｂの上部前面にはスイッチ１６が設けられ、その上方にはＬＥＤライト１７が設けられている。尚、図示しないが、ハンドル部２Ｂの下端には充電可能なバッテリが着脱可能に装着されている。
【００１１】
而して、作業者が当該ドライバドリル１のハンドル部２Ｂを把持してスイッチ１６をＯＮ操作すると、不図示のバッテリからモータ３に給電されて該モータ３が起動され、スピンドル５及びこれに装着されたドライバビット７が回転駆動されるとともに、ＬＥＤライト１７にも給電されて該ＬＥＤライト１７が点灯し、ドライバビット７の先端部がスポット的に照明される。
【００１２】
ところで、特許文献１には、本体ハウジングの前方下面に設けられたＬＥＤランプの光の一部を本体ハウジングの前方上面に設けられた表示窓に光ファイバによって伝送し、該表示窓を照明するようにした電動工具が提案されている。
【特許文献１】特開２００２−３０１６６９号公報
【発明の開示】
【発明が解決しようとする課題】
【００１３】
ところが、図３に示した従来のドライバドリル１’を用いて家屋の屋根裏や床下等の光が届かない暗所でネジ締め作業を行う場合、手元が暗いためにトルク調整ダイヤル１０の外周面に表示された数字を見ることができず、トルク調整が困難で、所望のトルクに正確に設定することができないという問題があった。
【００１４】
又、特許文献１に記載された電動工具においては、ＬＥＤランプの光の一部を光ファイバーによって表示窓へと伝送する構成が採用されているため、表示窓を必ずしも十分照明することができるとは限らず、光ファイバの本体ハウジング内への配索も容易でないという問題がある。
【００１５】
本発明は上記問題に鑑みてなされたもので、その目的とする処は、簡単な構成で暗所でもトルク調整を容易且つ正確に行うことができる電動工具を提供することにある。
【課題を解決するための手段】
【００１６】
上記の目的を達成するため本発明は、ハウジング内にモータとトルク調整機構を内蔵し、前記ハウジングの前方部に設けられた円筒状のトルク調整ダイヤルを回転させることによって、先端工具に伝達されるトルクを調整可能な電動工具において、前記トルク調整ダイヤルを透明部材で構成し、前記トルク調整ダイヤルの外周面にトルク設定値を示す数字を表示した表示部を設け、該表示部以外の部分を透明部とすると共に、該トルク調整ダイヤルの後方部に光源を配置して、該光源からの光を前記透明部材を通して前方側に照射し、前記トルク調整ダイヤル全体を発光させることを特徴とする。
【００１８】
請求項２記載の発明は、請求項１記載の発明において、前記光源としてＬＥＤライトを使用することを特徴とする。
【発明の効果】
【００１９】
本発明によれば、透明なトルク調整ダイヤルに光源からの光を照射して該トルク調整ダイヤル全体を発光させるようにしたため、トルク調整ダイヤルの外周面に表示されたトルク設定値を暗所においてもはっきりと視認することができ、簡単な構成で暗所でもトルク調整を容易且つ正確に行うことができる。
【発明を実施するための最良の形態】
【００２０】
以下に本発明の実施の形態を添付図面に基づいて説明する。
【００２１】
図１は本発明に係る電動工具の一形態としてのドライバドリル要部の側断面図、図２は同ドライバドリルのトルク調整ダイヤルの展開図である。
【００２２】
本実施の形態に係るドライバドリル１の基本構成及び動作は図３に示した従来のドライバドリル１’のそれと同じであるため、これについての再度の説明は省略する。従って、図１及び図２においては、図３及び図４に示したものと同一要素には同一符号を付し、以下、本発明の特徴的な構成と作用についてのみ説明する。
【００２３】
本実施の形態においては、トルク調整ダイヤル１０が透明樹脂で構成されており、その外周面には、図２に示すように、トルクの大きさ（トルク設定値）を表示する「１」，「５」，「９」…の数字が表示されている。具体的には、図２に示すように、トルク調整ダイヤル１０の外周面には鋸刃状の表示部１０ａ（ハッチングを付した部分）には塗装が施されて不透明となっており、この表示部１０ａにトルクの大きさ（トルク設定値）を表示する「１」，「５」，「９」…の数字が表示されている。そして、このトルク調整ダイヤル１０の外周面の表示部１０ａを除く部分が透明部１０ｂとなっており、この透明部１０ｂを光が透過することができる。
【００２４】
又、本実施の形態に係るドライバドリル１においては、図１に示すように、ハウジング５内のトルク調整ダイヤル１０の後端面に接する部位の上下にはＬＥＤライト１７がそれぞれ配設されており、これらのＬＥＤライト１７はリード線１８及びスイッチ１６を介して不図示のバッテリに電気的に接続されている。尚、図示しないが、ＬＥＤライト１７の後方には反射板が設けられている。
【００２５】
従って、本実施の形態に係るドライバドリル１においては、作業者が当該ドライバドリル１のハンドル部２Ｂを把持してスイッチ１６をＯＮ操作すると、不図示のバッテリからモータ３に給電されて該モータ３が起動され、スピンドル５及びこれに装着されたドライバビット７が回転駆動されるとともに、２つのＬＥＤライト１７にも給電されて該ＬＥＤライト１７が点灯し、ＬＥＤライト１７から出射するＬＥＤ光によってトルク調整ダイヤル１０全体が発光する。このため、作業者は、トルク調整ダイヤル１０の外周面に表示されたトルク設定値（数字）を暗所においてもはっきりと視認することができ、簡単な構成で暗所でもトルク調整を容易且つ正確に行うことができる。この場合、前述のようにＬＥＤライト１７の後方には反射板が設けられているため、ＬＥＤ光が後方の漏れることがなく、より多くの光が前方のトルク調整ダイヤル１０に向かって照射される。
【００２６】
尚、以上は本発明をドライバドリルに適用した形態について説明したが、本発明は、トルク調整ダイヤルを回してトルク調整を行う他の任意の電動工具に対しても同様に適用可能であることは勿論である。
【図面の簡単な説明】
【００２７】
【図１】本発明に係るドライバドリル要部の側断面図である。
【図２】本発明に係るドライバドリルのトルク調整ダイヤルの展開図である。
【図３】従来のドライバドリル要部の側断面図である。
【図４】従来のドライバドリルのトルク調整ダイヤルの展開図である。
【符号の説明】
【００２８】
１      ドライバドリル（電動工具）
２      ハウジング
２Ａ    ハウジングの胴体部
２Ｂ    ハウジングのハンドル部
３      モータ
３ａ    モータ出力軸（モータ軸）
４      遊星ギヤ減速機構
５      スピンドル
６      チャック
７      ドライバビット
８      トルク調整機構
９      インターナルギヤ
１０    トルク調整ダイヤル
１０ａ  トルク調整ダイヤルの表示部
１０ｂ  トルク調整ダイヤルの透明部
１１    ネジ部材
１２    バネ受け
１３    ボール
１４    バネ受け
１５    コイルバネ
１６    スイッチ
１７    ＬＥＤライト
１８    リード線
【図１】
0005196119.tif 000002
【図２】
0005196119.tif 000003
【図３】
0005196119.tif 000004
【図４】
0005196119.tif 000005